(57)【特許請求の範囲】
【請求項１】
光を受光し、当該受光光に関する所定の測光データを算出する複数個の受光手段と、
上記受光手段の測光動作を制御するとともに、当該受光手段で算出された測光データを表示部に表示する１個の本体制御手段と、
上記複数個の受光手段にそれぞれ着脱可能に装着される複数個の第１のインターフェースと、
上記本体制御手段に着脱可能に装着された１個の第２のインターフェースと、
隣リ合う上記第１のインターフェースの間及び一方端の第１のインターフェースと上記第２のインターフェースとの間をそれぞれ接続する複数本の通信ケーブルとからなり、
上記本体制御手段は上記第１，第２のインターフェース及び上記通信ケーブルを介して全ての受光手段若しくはいずれか１の受光手段とデータ通信を行い、当該受光手段から送信される測光データを上記表示部に表示するものであることを特徴とする多点測光システム。
【請求項２】
請求項１記載の多点測光システムにおいて、
各受光手段の第１のインターフェースが装着される装着部は本体制御手段の第２のインターフェースが装着される装着部に装着可能になされ、各受光手段は、本体制御手段に直接、装着されたときは単独の測光機器を構成し得るものであることを特徴とする多点測光システム。
【請求項３】
請求項１又は２記載の多点測光システムにおいて、
上記第１のインターフェースは、当該第１のインターフェースが装着される上記受光手段の識別番号を設定する番号設定手段を備え、
上記本体制御手段は、上記識別番号を指定することにより当該識別番号を有する受光手段との間でデータ通信を行うものであることを特徴とする多点測光システム。
【請求項４】
請求項３記載の多点測光システムにおいて、
上記本体制御手段は、各受光手段に設定された識別番号を確認することにより接続された受光手段の総数を自動判別することを特徴とする多点測光システム。
【請求項５】
請求項３又は４記載の多点測光システムにおいて、
上記本体制御手段は、上記受光手段から送信された測光データを当該受光手段に対応する識別番号に対応付けて上記表示部に表示するものであることを特徴とする多点測光システム。
【請求項６】
請求項５記載の多点測光システムにおいて、
上記本体制御手段は、上記複数個の受光手段から取り込まれた測光データのうち、最大値及び／又は最小値並びにこれらの値を有する識別番号を算出する算出手段を備え、この算出手段の算出結果を上記表示部に表示するものであることを特徴とする多点測光システム。
【請求項７】
請求項５又は６記載の多点測光システムにおいて、
上記本体制御手段は、上記複数個の受光手段から送信された複数個の測光データの平均値を演算する平均値演算手段を備え、この平均値演算手段で算出された平均値を上記表示部に表示するものであることを特徴とする多点測光システム。
【請求項８】
請求項１〜７のいずれかに記載の多点測光システムにおいて、
各受光手段は、受光時の応答速度が第１の応答速度とこの第１の応答速度よりも遅い第２の応答速度とに切換可能になされ、
上記本体制御手段は、上記受光手段の受光時の応答速度を切り換える切換手段を備えていることを特徴とする多点測光システム。
【請求項９】
請求項１〜８のいずれかに記載の多点測光システムにおいて、
各受光手段は、電源異常を検出する電源異常検出手段を備え、
上記本体制御手段は、各受光手段から当該受光手段の電源異常検出手段の検出結果を取り込み、測光システムの電源異常を判別することを特徴とする多点測光システム。
【請求項１０】
請求項９記載の多点測光システムにおいて、
上記本体制御手段は、少なくとも１個の上記受光手段に電源異常があるときは、所定の警告表示を行うものであることを特徴とする多点測光システム。
【請求項１１】
光を受光し、当該受光光に関する所定の測光データを算出する複数個の受光手段と、
上記受光手段の測光動作を制御するとともに、当該受光手段で算出された測光データを表示部に表示する１個の本体制御手段と、
上記複数個の受光手段にそれぞれ着脱可能に装着される複数個の第１のインターフェースと、
上記本体制御手段に着脱可能に装着された１個の第２のインターフェースと、隣リ合う上記第１のインターフェースの間をそれぞれ接続する複数本の第１の通信ケーブルと、
接続された複数個の第１のインターフェースの一方端の第１のインターフェースと上記第２のインターフェースとにそれぞれ第２の通信ケーブルを介して通信可能に接続され、通信データを無線信号に変換して互いに送受する第３のインターフェースとを備え、
上記本体制御手段は上記第１〜第３のインターフェース及び上記第１、第２の通信ケーブルを介して全ての受光手段若しくはいずれか１の受光手段とデータ通信を行い、当該受光手段から送信される測光データを上記表示部に表示するものであることを特徴とする多点測光システム。
【請求項１２】
請求項１１記載の多点測光システムにおいて、
無線信号は、電波信号であることを特徴とする多点測光システム。
【請求項１３】
請求項１１又は１２記載の多点測光システムにおいて、
上記本体制御手段と上記受光手段との間のデータ通信では同一のデータが少なくとも２回交信されることを特徴とする多点測光システム。
【請求項１４】
請求項１３記載の多点測光システムにおいて、
上記本体制御手段は、送信データに対する上記受光手段からの応答遅れを検出する検出手段を備え、この検出手段の検出結果に基づいて測光システムがワイヤレス方式であるか否かを自動判別することを特徴とする多点測光システム。
【請求項１５】
請求項１〜１４のいずれかに記載の多点測光システムにおいて、
上記本体制御手段は、電子情報処理装置が外部接続可能な接続端子と、上記受光手段との間でデータ通信を行う通信線路を上記接続端子側に切り換える線路切換手段と、上記線路切換手段の切換を制御する切換制御手段とを備え、
上記電子情報処理装置が上記本体制御手段と上記第１，第２のインターフェース及び上記通信ケーブル若しくは上記第１〜第３のインターフェース及び上記第１，第２の通信ケーブルとを介して全ての受光手段若しくはいずれか１の受光手段と直接、データ通信を行うことで、当該電子情報処理装置により多点測光処理が可能になされていることを特徴とする多点測光システム。
【請求項１６】
請求項１５記載の多点測光システムにおいて、
上記線路切換手段により通信線路が電子情報処理装置に接続されているとき、上記本体制御手段は、上記測光データに代えて上記電子情報処理装置が接続されていることを示す所定の表示を行うものであることを特徴とする多点測光システム。
【発明の詳細な説明】
【０００１】
【発明の属する技術分野】
本発明は、複数個の測光センサを備え、各測光センサを互いに異なる位置に配置することにより略同時に多数点の測光が可能な多点測光システムに関するものである。
【０００２】
【従来の技術】
例えばプロジェクタでは投影スクリーン上での照度分布や色分布（色ムラ）を測定してその性能評価が行われ、その照度分布や色分布の時間変化を測定して光源の安定性の評価が行われている。また、建築照明分野においては、照明エリアの照度分布を測定してその照明効果の評価が行われ、その照度分布の時間変化を測定して窓際での昼光の影響の評価が行われている。そして、このような照度分布や色分布の測定では、従来、１台の照度計や色彩計等の測光機器を複数の測定点に順次、移動させて照度や色彩を測定するか（一点測定を繰り返す方法）、あるいは測定点の数だけ測光機器を用意し、それらを各測定点に配置して照度や色彩を一度に測定する方法（多点測定方法）が採られている。
【０００３】
また、従来、照度計や色彩計等の測光機器には測光を行う受光部とこの受光部の動作制御及び測光データの表示等を行う本体部とが分離可能になされ、受光部と本体部とを専用のケーブルで接続することにより測定点から離れた位置で照度や色彩等の測定を行うことのできるものが知られ、商品化がなされている。
【０００４】
更には多点測定を可能にするべく本体部に測定データを出力する出力端子が設けられた測光機器が知られ、商品化もなされている。このような測光機器を用いた場合は、各測定点に複数の測光機器を配置し、各測光機器の出力端子をＧＰＩＢ（General Purpose Interface Bus）等の汎用バスラインや専用のバスラインを介してパーソナルコンピュータ（電子情報処理装置）を接続し、測定データをバスラインを介してパーソナルコンピュータに出力することにより当該パーソナルコンピュータで多点測定処理が可能となっている。
【０００５】
【発明が解決しようとする課題】
ところで、照度分布や色分布などの測定においては、測定の迅速性、容易性、同時性（同一条件下での測定）等を考慮すると、多点測定方法で測定することが好ましい。しかし、従来の多点測光可能な測光機器は受光部と本体部とが分離可能なものであってもこれらを一体とした独立の測光機器を複数個用いて多点測定を行うとの考え方に基づいて設計されており、例えば複数個の受光部のみを各測定点に配置し、これらの受光部を１個の本体部にカスケード接続して多点測定を行うことはできないようになっている。このため、測定点が多いと、各測定点に測光機器を１台ずつ配置する必要があり、多点測光系が煩雑になるとともに、測定機器に要するコストが増大するという問題がある。
【０００６】
一方、近年、ＵＳＢ（Universal Serial Bus）と呼ばれるバスラインシステムが提唱され、複数の測定器をＵＳＢを介してパーソナルコンピュータ（以下、ＰＣと略称する。）に縦列に接続（カスケード接続）し、各測定データをＰＣにシリアル転送して当該ＰＣで複数の測定データの処理を行わせる技術が広く利用されつつあるが、複数個の受光部を１個の本体部にカスケード接続して多点測光することのできる測光機器は未だ提案されておらず、商品化もなされていない。
【０００７】
本発明は、上記課題に鑑みてなされものであり、複数の受光部と１個の本体部とをカスケード接続してなる多点測光システムを提供するものである。
【０００８】
【課題を解決するための手段】
本発明は、光を受光し、当該受光光に関する所定の測光データを算出する複数個の受光手段と、上記受光手段の測光動作を制御するとともに、当該受光手段で算出された測光データを表示部に表示する１個の本体制御手段と、上記複数個の受光手段にそれぞれ着脱可能に装着される複数個の第１のインターフェースと、上記本体制御手段に着脱可能に装着された１個の第２のインターフェースと、隣リ合う上記第１のインターフェースの間及び一方端の第１のインターフェースと上記第２のインターフェースとの間をそれぞれ接続する複数本の通信ケーブルとからなり、上記本体制御手段は上記第１，第２のインターフェース及び上記通信ケーブルを介して全ての受光手段若しくはいずれか１の受光手段とデータ通信を行い、当該受光手段から送信される測光データを上記表示部に表示するものである（請求項１）。
【０００９】
上記構成によれば、複数個の受光手段のそれぞれに第１のインターフェースが装着されるとともに１個の本体制御手段に第２のインターフェースが装着され、更に隣り合う第１のインターフェースの間が通信ケーブルで接続されるとともに、この接続された一群の第１のインターフェースの先頭の第１のインターフェースと第２のインターフェースとの間が通信ケーブルで接続されて、１個の本体制御手段に複数個の受光手段がカスケード接続されてなる多点測光システムが構成される。
【００１０】
本体制御手段は第２のインターフェース、通信ケーブル及び第１のインターフェースを介して全ての受光手段若しくはいずれか１の受光手段とデータ通信を行い、各受光手段からその受光手段で算出される受光光に関する所定の測光データ（例えば受光光の受光量や色彩のデータ）を取り込み、表示部に表示する。従って、複数個の受光手段を位置の異なる複数の測定点にそれぞれ配置し、各受光手段から順次、測光データを取り込み、表示部に表示させることにより複数の測定点の測光が可能になる。
【００１１】
なお、上記多点測光システムにおいて、各受光手段の第１のインターフェースが装着される装着部は本体制御手段の第２のインターフェースが装着される装着部に装着可能になされ、各受光手段は、本体制御手段に直接、装着されたときは単独の測光機器を構成し得るようにするとよい（請求項２）。
【００１２】
上記構成によれば、各受光手段は、第１のインターフェースが装着される装着部を本体制御手段の第２のインターフェースが装着される装着部に直接、装着することにより、当該受光手段と本体制御手段とからなる単独の測光機器が構成される。従って、多点測光システムの本体制御手段と任意の１の受光手段とを組合わせることにより単独の測光機器として使用することが可能となる。
【００１３】
また、本発明は、上記多点測光システムにおいて、上記第１のインターフェースは、当該第１のインターフェースが装着される上記受光手段の識別番号を設定する番号設定手段を備え、上記本体制御手段は、上記識別番号を指定することにより当該識別番号を有する受光手段との間でデータ通信を行うものである（請求項３）。
【００１４】
上記構成によれば、本体制御手段から識別番号を指定して全ての受光手段にデータが送信される。各受光手段では受信したデータから識別番号が抽出され、その識別番号が当該受光手段に設定された識別番号であるか否かが判別され、識別番号の一致した受光手段から本体制御手段に応答データが送信される。従って、結果的に本体制御手段と識別番号を有する受光手段との間でデータ通信が行われる。
【００１５】
また、本発明は、請求項３記載の多点測光システムにおいて、上記本体制御手段は、各受光手段に設定された識別番号を確認することにより接続された受光手段の総数を自動判別するものである（請求項４）。
【００１６】
上記構成によれば、本体制御手段で各受光手段に設定された識別番号を確認することにより接続された受光手段の総数（すなわち、測定点の数）が自動的に判別される。例えば予め設定可能な識別番号の範囲（すなわち、接続可能な数Ｎ）を決定しておき、本体制御手段は、各受光手段とのデータ通信によりその範囲内の識別番号のうち、受光手段で使用されてない識別番号の数ｎをカウントすることにより接続されている受光手段の総数Ｎ′（＝Ｎ−ｎ）を算出する。
【００１７】
また、本発明は、請求項３又は４記載の多点測光システムにおいて、上記本体制御手段は、上記受光手段から送信された測光データを当該受光手段に対応する識別番号に対応付けて上記表示部に表示するものである（請求項５）。
【００１８】
上記構成によれば、本体制御手段は識別番号を指定して受光手段とデータ通信し、当該識別番号を有する受光手段から本体制御手段に取り込まれた測光データが識別番号とともに表示部に表示される。これにより操作者は表示された測光データがどの測定点のものであるかを識別することができる。
【００１９】
なお、上記多点測光システムにおいて、上記本体制御手段は、上記複数個の受光手段から取り込まれた測光データのうち、最大値及び／又は最小値並びにこれらの値を有する識別番号を算出する算出手段を備え、この算出手段の算出結果を上記表示部に表示するとよい（請求項６）。更に、上記多点測光システムにおいて、上記本体制御手段は、上記複数個の受光手段から送信された複数個の測光データの平均値を演算する平均値演算手段を備え、この平均値演算手段で算出された平均値を上記表示部に表示するとよい（請求項７）。
【００２０】
上記構成によれば、本体制御手段は識別番号を指定して複数個の受光手段とデータ通信し、各受光手段から本体制御手段に取り込まれた複数個の測光データのうち、最大値及び／又は最小値並びにこれらの値を有する識別番号が抽出され、測光データの最大値及び／又は最小値がそれぞれ識別番号とともに表示部に表示される。更に、複数個の測光データの平均値が算出され、その算出結果が表示部に表示される。
【００２１】
また、本発明は、多点測光システムにおいて、各受光手段は、受光時の応答速度が第１の応答速度とこの第１の応答速度よりも遅い第２の応答速度とに切換可能になされ、上記本体制御手段は、上記受光手段の受光時の応答速度を切り換える切換手段を備えているものである（請求項８）。
【００２２】
上記構成によれば、受光手段の受光光量が脈動し、第１の応答速度では正確な測光データが得られないとき、本体制御手段に設けられた切換手段で応答速度を第１の応答速度から第２の応答速度に切り換えることにより測光データの精度低下が防止される。そして、応答速度の切換手段の設定位置を本体制御手段に一元化することで、操作者の切換操作が容易となる。
【００２３】
また、本発明は、上記多点測光システムにおいて、各受光手段は、電源異常を検出する電源異常検出手段を備え、上記本体制御手段は、各受光手段から当該受光手段の電源異常検出手段の検出結果を取り込み、測光システムの電源異常を判別するものである（請求項９）。なお、上記多点測光システムにおいて、上記本体制御手段は、少なくとも１個の上記受光手段に電源異常があるときは、所定の警告表示を行うとよい（請求項１０）。
【００２４】
上記構成によれば、データ通信により本体制御手段から各受光手段に電源異常のチェックが指令されると、各受光手段は電源異常検出手段を介して電源異常をチェックし、そのチェック結果が本体制御手段に応答され、この応答内容に基づき本体制御手段で測光システムの電源異常が判別される。そして、例えば接続された複数個の受光手段のうち、少なくとも１個に電源の異常があるときは、表示部に測光システムに電源異常があることを示す所定の警告表示がなされる。
【００２５】
また、本発明は、光を受光し、当該受光光に関する所定の測光データを算出する複数個の受光手段と、上記受光手段の測光動作を制御するとともに、当該受光手段で算出された測光データを表示部に表示する１個の本体制御手段と、上記複数個の受光手段にそれぞれ着脱可能に装着される複数個の第１のインターフェースと、上記本体制御手段に着脱可能に装着された１個の第２のインターフェースと、隣リ合う上記第１のインターフェースの間をそれぞれ接続する複数本の第１の通信ケーブルと、接続された複数個の第１のインターフェースの一方端の第１のインターフェースと上記第２のインターフェースとにそれぞれ第２の通信ケーブルを介して通信可能に接続され、通信データを無線信号に変換して互いに送受する第３のインターフェースとを備え、上記本体制御手段は上記第１〜第３のインターフェース及び上記第１、第２の通信ケーブルを介して全ての受光手段若しくはいずれか１の受光手段とデータ通信を行い、当該受光手段から送信される測光データを上記表示部に表示するものである（請求項１１）。なお、上記多点測光システムにおいて、無線信号は、電波信号にするとよい（請求項１２）。
【００２６】
上記構成によれば、複数個の受光手段のそれぞれに第１のインターフェースが装着され、隣り合う第１のインターフェースの間が第１の通信ケーブルで接続されるとともに、この接続された一群の第１のインターフェースの先頭の第１のインターフェースに第２の通信ケーブルを介して第３のインターフェースが接続される一方、１個の本体制御手段に第２のインターフェースが装着され、更にこの第２のインターフェースに第２の通信ケーブルを介して第３のインターフェースが接続されて多点測光システムが構成される。
【００２７】
本体制御手段と各受光手段との間で交信されるデータはそれぞれ第３のインターフェースで無線信号に変換され、第３のインターフェース間で無線通信される。例えば電波を用いた場合は、送信側の第３のインターフェースで送信すべきデータで変調してなる電波信号に変換されて放射され、受信側の第３のインターフェースでこの電波信号が受信され、送信すべきデータに復調された後、通信ケーブルを介して各受光手段若しくは本体制御手段に伝送される。
【００２８】
また、本発明は、請求項１１又は１２記載の多点測光システムにおいて、上記本体制御手段と上記受光手段との間のデータ通信では同一のデータが少なくとも２回交信されるものである（請求項１３）。
【００２９】
上記構成によれば、本体制御手段と受光手段との間でデータが交信される際、同一のデータが少なくとも２回、交信される。これにより１回だけ交信される場合に比して無線通信区間での通信誤りが低減される。
【００３０】
また、本発明は、請求項１３記載の多点測光システムにおいて、上記本体制御手段は、送信データに対する上記受光手段からの応答遅れを検出する検出手段を備え、この検出手段の検出結果に基づいて測光システムがワイヤレス方式であるか否かを自動判別するものである（請求項１４）。
【００３１】
上記構成によれば、本体制御手段が受光手段に送信したデータに対する応答を当該受光手段から受信すると、その応答遅れ時間が検出され、その結果に基づいて測光システムがワイヤレス方式であるか否かが自動的に判別される。無線通信路を有するワイヤレス方式においては、同一のデータが少なくとも２回交信されるので、本体制御手段から送信されたデータに対する受光手段からの応答は、同一のデータを１回しか交信しないワイヤード方式の場合よりも遅くなる。従って、応答遅れ時間が所定の閾値を超えている場合は、ワイヤレス方式であると自動的に判別される。
【００３２】
また、本発明は、上記多点測光システムにおいて、上記本体制御手段は、電子情報処理装置が外部接続可能な接続端子と、上記受光手段との間でデータ通信を行う通信線路を上記接続端子側に切り換える線路切換手段と、上記線路切換手段の切換を制御する切換制御手段とを備え、上記電子情報処理装置が上記本体制御手段と上記第１，第２のインターフェース及び上記通信ケーブル若しくは上記第１〜第３のインターフェース及び上記第１，第２の通信ケーブルとを介して全ての受光手段若しくはいずれか１の受光手段と直接、データ通信を行うことで、当該電子情報処理装置により多点測光処理が可能になされているものである（請求項１５）。
【００３３】
上記構成によれば、接続端子に電子情報処理装置が外部接続された状態で本体制御手段内の通信線路が接続端子側に接続されると、電子情報処理装置が本体制御手段に代えて、ワイヤード方式の場合は本体制御手段と第１，第２のインターフェース及び通信ケーブルを介して、また、ワイヤレス方式の場合は、本体制御手段と第１〜第３のインターフェース及び第１，第２の通信ケーブルとを介して受光手段とデータ通信が可能となる。従って、電子情報処理装置が各受光手段と直接、データ通信を行うことで、当該電子情報処理装置により多点測光処理が可能となる。すなわち、電子情報処理装置は各受光手段から測光データを取り込み、各測定点の測光データが識別番号に対応づけて電子情報処理装置の表示部に表示される。また、複数個の測光データの最大値及び／又は最小値が算出され、その算出結果が識別番号とともに電子情報処理装置の表示部に表示され、平均値が算出され、その算出結果が電子情報処理装置の表示部に表示される。
【００３４】
なお、上記多点測光システムにおいて、上記線路切換手段により通信線路が電子情報処理装置に接続されているとき、上記本体制御手段は、上記測光データに代えて電子情報処理装置が接続されていることを示す所定の表示を行うようにするとよい（請求項１６）。
【００３５】
上記構成によれば、電子情報処理装置に多点測光処理が行われているときは、本体制御手段の表示部にその旨を示す所定の表示が行われ、これにより操作者は多点測光システムの構成を簡単に確認することができる。
【００３６】
【発明の実施の形態】
本発明に係る多点測光システムについて、多点照度測定を例に説明する。なお、本発明は照度測定に限定されるものではなく、赤外線強度計、紫外線強度計、光パワーメータ、色彩計、フラッシュメータ、露出計、色温度計等の測光機器を用いた多点測光システムについても適用することができる。従って、以下の説明では、受光部で算出される受光光に関する測光データは主として受光量に関するものであるが、色彩計や色温度計等では、色度データ等の色彩に関するデータや色温度値等の色温度に関するデータも測光データに含まれるものである。
【００３７】
図１は本発明に係る多点測光システムに適用される照度計の正面図、図２は同照度計の右側面図、図３は照度計の受光部と本体部とを分離した状態を示す正面図である。
【００３８】
照度計１は、図１及び図３に示すように、本体部２とこの本体部２の上面に着脱可能に装着される受光部３とから構成されている。受光部３の下面の略中央に接続部３ａが突設されるとともに、本体部２の上面の略中央部に接続部２ａ（図４）が設けられ、受光部３は接続部３ａを本体部２の接続部２ａに嵌入装着させて当該本体部２に取り付けられる。接続部２ａ、３ａにはそれぞれ複数個の接続端子（図７の接続部３ａの構造を参照）が設けられ、受光部３を本体部２に取り付けると、これらの接続部２ａ，３ａを介して受光部３と本体部２とが互いに通信可能に接続される。
【００３９】
本体部２の正面の上部には測定結果や所定の文字情報がデジタル表示される表示パネル２１が設けられている。なお、この実施形態では、表示パネル２１は液晶ディスプレイ（ＬＣＤ）、エレクトロケミカルディスプレイ（ＥＣＤ）、電気泳動ディスプレイ（ＥＰＩＤ）などのパッシブ型表示素子で構成されているが、発光ダイオード（ＬＥＤ）やプラズマディスプレイを用いてもよい。
【００４０】
表示パネル２１の下部には第１操作部２２１と第２操作部２２２とがこの順に設けられている。本実施の形態に係る照度計１は「通常モード」、「相対照度モード」及び「積算照度モード」の３種類の測定モードを有し、第１操作部２２１はこれらの測定モードを切換設定するための操作キー２２１ａ，２２１ｂ，２２１ｃで構成されている。
【００４１】
通常モードは通常の照度値Ｌ〔lx〕を測定するモードであり、操作キー２２１ａ（以下、ノーマルキー２２１ａという。）により設定される。なお、測定モードにおいては、通常モードが初期設定され、測定開始時に後述する簡易ゼロ点校正方法によりゼロキャリブレーション（以下、ゼロＣＡＬと略称する。）が行われた後、所定の周期（例えば１秒毎）で照度値Ｌが繰り返し測定され、その測定結果が表示パネル２１に表示される。
【００４２】
相対照度モードは測定された照度値Ｌ〔lx〕から当該照度値Ｌと予め設定された基準の照度値Ｌrとの相対照度値ΔＬ（＝Ｌ−Ｌr）〔lx〕又はそのパーセント値ΔＬ％（＝(Ｌ−Ｌr)・100/Ｌr）〔％〕を算出し、その算出結果を表示パネル２１に表示するモードであり、操作キー２２１ｂ（以下、Δキー２２１ｂという。）により設定される。Δキー２２１ｂが操作されると、下記表１に示すように、表示パネル２１に相対照度値ΔＬ〔lx〕が表示され、更にΔキー２２１ｂが操作されると、表示パネル２１に相対照度値ΔＬのパーセント表示ΔＬ〔％〕が表示され、以下、Δキー２２１ｂが操作される毎に表示パネル２１にΔＬとΔＬ％とが交互に表示される。
【００４３】
積算照度モードは測定開始からの各照度値に基づいて積算照度値Ｌsum（＝Ｌ（照度値）×ΣＴ（積算測定時間））〔lx・h〕や照度の時間平均値Ｌave（＝Ｌsum（積算照度値）／ΣＴ（積算測定時間））〔lx〕を算出し、その算出結果を表示パネル２１に表示するモードであり、操作キー２２１ｃ（以下、Σキー２２１ｃという。）により設定される。Σキー２２１ｃが操作されると、下記表１に示すように、表示パネル２１に積算照度値Ｌsum〔lx・h〕が表示され、更にΣキー２２１ｃが操作されると、表示パネル２１に積算測定時間ΣＴ〔ｈ〕が表示され、更にΣキー２２１ｃが操作されると、表示パネル２１に時間平均値Ｌave〔lx〕が表示され、以下、Σキー２２１ｃが操作される毎に表示パネル２１に積算照度値Ｌsum、積算測定時間ΣＴ及び時間平均値Ｌaveがサイクリックに表示される。
【００４４】
【表１】
0003855515.tif 000002
【００４５】
第２操作部２２２はメモリへのデータ入力及びデータ読出を行うための操作部材で、操作キー２２２ａ〜２２２ｆから構成されている。これらの操作キー２２２ａ〜２２２ｆは、通常、照度測定時に使用されることは少ないので、誤操作されないように上下に移動可能な蓋体２３でカバーされるようになっている。
【００４６】
操作キー２２２ａは相対照度モードにおける基準照度値Ｌrや積算照度モードにおける積算照度リミット値Ｅlimや積算時間リミット値Ｔlim等のデータを設定するための操作キー（以下、ＳＥＴキーという。）である。また、操作キー２２２ｂはメモリに記憶された基準照度ＬrやＣＣＦ（Color Compensating Factor）値等のデータを呼び出すための操作キー（以下、ＣＡＬＬキーという。）である。照度計の分光応答度特性は、標準比視感度特性に完全に一致しているのが理想であるが、実際の照度計では、標準比視感度特性からのズレ（誤差）が存在する。従って、照度計を校正する標準光源と異なる分光特性を持つ光源による照度を測定すると、測定に誤差が生じることになる。ＣＣＦ値とはこの誤差を補正するために、測定値に乗ずる補正係数のことである。ＣＣＦ値とは本来、このような分光応答度特性の誤差を補正するためのものであるが、その一方、複数の照度計間の器差を合わせ込むための補正係数しても応用される。また、操作キー２２２ｃは、測定値にＣＣＦ値を乗ずるか否かを切り換えたり、あるいはＣＣＦ値を設定・変更するときに操作するキーである。
【００４７】
また、操作キー２２２ｄ，２２２ｅはメモリへのデータの入力の際にデータを検索するための操作キーである。操作キー２２２ｄはデータを上昇方向に検索するための操作キー（以下、アップキーという。）であり、操作キー２２２ｅはデータを下降方向に検索するための操作キー（以下、ダウンキーという。）である。また、操作キー２２２ｆはメモリにデータを入力する際に数値の桁送りをするための操作キー（以下、シフトキーという。）である。
【００４８】
なお、後述するようにアダプタ６，７（図６参照）を介して本体部２に複数個の受光部３を通信可能にカスケード接続して多点測光システムが構成された場合も本体部２と任意の受光部３との間で通信を行うことにより本体部２と当該受光部３とで照度計が構成され、その受光部３で測定された照度値が本体部２の表示パネル１２に表示される。
【００４９】
本実施の形態では１個の本体部２に対して受光部３が最大３０個までカスケード接続可能になされており、本体部２にカスケード接続される受光部３はそれぞれ受光部識別用の番号Ｍ（０〜２９までの番号。以下、受光部番号Ｍという。）が設定されるようなっている。従って、後述するように各受光部３との間で受光部番号Ｍの確認を行うことにより接続されている受光部３の個数及び使用されている受光部番号Ｍが判別され、受光部３が２個以上カスケード接続されていると判別されると、多点測光の処理が行われる。なお、本体部２に接続可能な数Ｎは３０個に限定されるものでは、適宜の数に設定することができる。
【００５０】
多点測光においては、下記表２に示すように表示パネル１２に多点測光であることを示す「ＭＵＬＴＩ」の文字が表示される。また、多点測光においても測定が行われている受光部３については通常モード、相対照度モード及び積算照度モードの各モードにおける照度測定が可能で、この場合は測定されている受光部３の受光部番号Ｍが表示される。例えば表示パネル１２に「ＭＵＬＴＩ １２」が表示されていると、表示されている測定値は多点測光における受光部番号１２の受光部３の測定値であることを示している。
【００５１】
また、多点測光においては、測光対象の受光部３を順次、変更することにより複数個の測光値が得られるので、これらの測光値の最大値、最小値及び平均値も算出され、表示パネル１２に表示可能になっている。なお、最大値及び最小値の表示では受光部番号Ｍも表示されるが、平均値の表示では受光部番号Ｍは表示されない（表２の通常モード表示参照）。
【００５２】
【表２】
0003855515.tif 000003
【００５３】
多点測光における測光対象の受光部３の選択はアップキー２２２ｄ及びダウンキー２２２ｅにより行われる。表示パネル１２に表示される受光部番号Ｍはアップキー２２２ｄを操作する毎に昇順方向に変化し、ダウンキー２２２ｅを操作する毎に降順方向に変化するので、これらのキー２２２ｄ，２２２ｅを操作して表示パネル１２に表示される受光部番号Ｍを選択することにより測光対象の受光部３が選択される。また、ある受光部３が選択されている場合、表２に示すようにノーマルキー２２１ａが押されると、通常モードが設定され、Δキー２２１ｂが押されると、相対照度モードが設定され、Σキー２２１ｃが押されると、積算照度モードが設定され、設定されたモードの測光値が表示パネル１２に表示される。
【００５４】
更に任意のモード表示において、シフトキー２２２ｆが操作されると、キーが押される毎に表示パネル１２の表示が最大値→最小値→平均値の順にサイクリックに変更され、いずれかのモード設定用のキー２２１ａ〜２２１ｃが操作されると、表示パネル１２の表示は操作されたモードに対応する表示に復帰される（表２の通常モード表示参照）。
【００５５】
本体部２の右側面には、略中央部にメインスイッチ２４が設けられ、このメインスイッチ２４の上方位置の適所にホールド釦２５と受光部分離釦２６とがこの順に設けられている。メインスイッチ２４は照度計１の電源を投入するためのスイッチである。メインスイッチ２４はスライドスイッチからなり、上方位置に設定すると、オンになり、下方位置に設定するとオフになる。また、ホールド釦２５は表示パネル２１に表示されている照度値Ｌをホールドするための操作釦である。後述するように各受光部３では所定の時間間隔（本実施の形態では５００ｍｓ）て測光が繰り返され、最新の測光値が表示パネル１２に更新表示されるようになっている。ホールド釦２５を操作する毎にホールド状態とホールド解除状態とが交互に指示され、ホールド指示では表示パネル１２の表示値がホールド釦２５の操作時の表示値にロックされる。
【００５６】
受光部分離釦２６は本体部２と受光部３とのロック状態を解除し、受光部３を分離可能にするための操作釦である。受光部分離釦２６を押し込むと、本体部２と受光部３の結合部分を係止する機構（図７の受光部３の底面に突設された一対の係合部材３ｂを係止する機構）が外れ、本体部２から受光部３を分離することができる。
【００５７】
また、本体部２の左側面には、略中央部にデジタルインターフェース端子２７が設けられ、このデジタルインターフェース端子２７の上方位置の適所にＤＣ電源端子２８と応答速度切換スイッチ２９とがこの順に設けられている。
【００５８】
デジタルインターフェース端子２７はＰＣ等の電子情報処理装置を接続するためのものであり、デジタルインターフェース端子２７にＰＣを接続することにより当該ＰＣで所望のデータ処理を行うことができるようになっている。特に多点測光を行う場合は、全測定点の測光データをＰＣで一括処理することができ、便利である。
【００５９】
ＤＣ電源端子２８はＡＣアダプタ（図９参照）からＤＣ電源を供給するためのものである。また、応答速度切換スイッチ２９は照度測定における応答速度を切り換えるものである。応答速度切換スイッチ２９はスライドスイッチからなり、上方位置に設定すると、通常の応答速度（通常測定時の速度）となり、下方位置に設定すると、通常の応答速度より応答速度が遅くなる。応答速度切換スイッチ２９はリップル光のように照度がＡＣ的に変化する場合、応答速度を遅くして安定かつ正確な測定ができるようにするものである。後述するように照度測定における応答速度の切換回路は受光部３内に設けられているので、応答速度切換スイッチ２９を受光部３側に設けるようにしてもよい。
【００６０】
しかし、本実施の形態では、受光部３を本体部２から切り離し、複数個の受光部３を１個の本体部２にカスケード接続して多点測光システムを構成できるようにしているので、多点測光システムにおいて、各受光部３の応答速度を本体部２で一括して切換設定できるようにするため、本体部２側に設けている。すなわち、多点測光においては、通常は共通の照明光源からの光束を異なる測定地点で評価するので、各受光部３の応答速度はその光源に対して全て一致しているべきである。応答速度切換スイッチ２９を受光部３側に設けると、多点測定の場合は全ての受光部３に対して応答速度切換スイッチ２９を切り換える必要があり、大変煩わしい作業となるので、本体部２側に応答速度切換スイッチ２９を設け、操作者の手元で遠隔地に配置された各受光部３の測光速度を一括して切換制御できるようにしている。
【００６１】
受光部３は前面に円形の受光窓３１が設けられ、その外周には内側に傾斜した枠体３１１が設けられている。また、受光窓３１の後方位置にはＳＰＤ(Silicon Photo Diode)等からなる受光素子が配設され、この受光素子は半球状の拡散板３１２で覆われている。さらに、受光部３の左側面には、受光素子によって受光された受光量に相当するアナログ信号が出力されるアナログ出力端子３２が設けられている。
【００６２】
また、受光部３の底面には、図７に示すように略中央に背面側に寄せて接続部３ａが突設され、両端部に前面側に寄せてキノコ形のピン部材からなる一対の係合部材３ｂが突設されている。接続部３ａはコ字形の保護枠を有し、その保護枠の内側面に接続端子（プラグタイプ）が配設されている。本体部２の上面適所には接続部材３ａと係合部材３ｂとがそれぞれ嵌入される接続部材２ａ（レセプタクルタイプ）と被係合部材とが設けられ、接続部材３ａが接続部材２ａに嵌入装着されると、接続端子が接続部材２ａに設けられている接続端子に電気的に接続される。また、係合部材３ｂが被係合部材に嵌入装着されると、係止片が係合部材３ｂに係止して受光部３が離脱不能に本体部２にロックされる。
【００６３】
図４は、照度計１のブロック構成図である。以下、同図を参照しながら、本体部２の電気的構成について説明する。
本体部２では、中央演算部（ＣＰＵ）４１１、ＲＯＭ４１２及びＲＡＭ４１３を備え、本体部２全体を制御する本体側制御部４１が設けられている。このＲＯＭ４１２は照度測定の処理プログラムや所要の初期データが記憶されたメモリであり、ＲＡＭ４１３はＣＰＵ４１１が処理プログラムに従って照度測定の演算処理を行うためのメモリである。そして、このように構成された本体側制御部４１は、操作ユニット４２、表示ユニット４３及び通信インターフェース４４と電気的に直接接続されるとともに、切換スイッチ部４５及び接続部２ａ，３ａを介して受光部３側の制御部５７と電気的に接続されており、操作ユニット４２を介して入力される外部指令に応じて照度測定を行い、その測定結果を表示ユニット４３の表示パネル２１上に表示する。
【００６４】
すなわち、操作ユニット４２は照度測定を行うために必要な外部操作を入力するための構成であり、上述したメインスイッチ２４、応答速度切換スイッチ２９、ホールド釦２５等のスイッチ・釦群と、ノーマルキー２２１ａ〜Σキー２２１ｃ，ＳＥＴキー２２２ａ〜シフトキー２２２ｆ等の操作キー群とで構成されている。
【００６５】
また、表示ユニット４３は上述した表示パネル２１を備えており、本体側制御部４１からのデータを表示ドライバ（図示省略）を介して表示パネル２１に与えて種々の情報を表示パネル２１上に表示する。また、本実施の形態では、表示パネル２１をパッシブ型表示素子によって構成しているため、必要に応じて表示パネル２１を照明して表示内容を明るくして視認性を向上させるべく、表示パネル２１の裏面側にバックライト４３１を配置し、本体側制御部４１からの駆動指令をバックライト駆動回路４３２に与えてバックライト４３１の点灯／消灯を制御する。
【００６６】
また、通信インターフェース４４はデジタルインターフェース端子２７と電気的に接続されており、デジタルインターフェース端子２７にＰＣやプリンタ等の外部機器を接続することで、通信インターフェース４４を介して本体側制御部４１との間で測定データなどを双方向に通信することができるようになっており、照度計１の汎用性を高めている。例えばデジタルインターフェース端子２７にＰＣ９（図６参照）を外部接続した場合、ＰＣ９から本体側制御部４１に接続切換のコマンドを送信すると、切換スイッチ４５が本体側制御部４１を介して通信インターフェース４４側（同図の上側ノード）に接続され、ＰＣ９が通信インターフェース４４を介して受光側制御部５７に直接、通信可能に接続される。すなわち、等価的にＰＣ９と各受光部３との間で多点測光システムを構成することができる。
【００６７】
なお、同図中の符号「４６」は、本体側の電源回路であり、この電源回路４６から本体部２の各部に電力が供給されている。また、この電源回路４６はバッテリチェック回路４７を介して本体側制御部４１に電気的に接続されている。バッテリチェック回路４７は電源回路４６の異常（動作不能、出力電圧異常等）を検出する回路であり、本体制御部４１の指示に従って電源回路４６の動作状態を判別し、その判別結果を本体側制御部４１に入力する。
【００６８】
図５は、受光部３の電気的構成の一例を示す図である。以下、図４及び図５を参照しつつ、受光部３の電気的構成を詳述する。
受光部３では、光電変換手段として機能する受光素子５１が受光窓３１（図１など）の後方位置に設けられ、受光した光エネルギーを電気エネルギーに変換して出力し、開閉回路５２を介してＩ／Ｖ変換回路５３に入力される。
【００６９】
この開閉回路５２は、簡易にゼロＣＡＬを行う際に受光素子５１とＩ／Ｖ変換回路５３との電気的接続を制御するための電子スイッチである。より具体的には、開閉回路５２は、図５に示すように、３つのトランジスタＴｒ１〜Ｔｒ３により構成されている。これらのうちｐｎｐ形トランジスタＴｒ２は受光素子５１に並列に接続される一方、電解効果型トランジスタＴｒ３は受光素子５１のカソードとＩ／Ｖ変換回路５３を構成するオペアンプ５３１の反転入力端子との間に介設されている。そして、電解効果型トランジスタＴｒ３のゲートとトランジスタＴｒ２のベースとは抵抗を介してオペアンプ５３１の正転入力端子に接続されている。また、残りのトランジスタ、つまりｎｐｎ形トランジスタＴｒ１については、そのコレクタはトランジスタＴｒ２のベースに接続されるとともに、そのエミッタは接地されている。
【００７０】
簡易なゼロＣＡＬ方法（以下、簡易ゼロ点校正方法という。）とはゼロ基準を受光素子５１の受光面ではなくＩ／Ｖ変換回路５３の入力端にしたもので、電気的に受光素子５１とＩ／Ｖ変換回路５３とを切断してゼロＣＡＬを行う方法である。簡易ゼロ点校正方法によるゼロＣＡＬはメインスイッチ２４がオンになり、照度計１が起動したときや測定レンジが切り換えられたときに自動的に行われる。
【００７１】
受光側制御部５７からトランジスタＴｒ１のベースにハイレベルの制御信号が入力されると、トランジスタＴｒ１がオンになり、トランジスタＴｒ２のベース及び電解効果型トランジスタＴｒ３のゲートがローレベルとなってトランジスタＴｒ２がオンになる一方、トランジスタＴｒ３がオフになる。これにより受光素子５１はＩ／Ｖ変換回路５３から電気的に切り離されるとともに、トランジスタＴｒ２との間で閉回路が構成され、簡易ゼロ点校正方法によるゼロＣＡＬが可能になる。
【００７２】
一方、トランジスタＴｒ１のベースにローレベルの制御信号が入力されると、トランジスタＴｒ１がオフになり、トランジスタＴｒ２のベース及び電解効果型トランジスタＴｒ３のゲートがハイレベルとなってトランジスタＴｒ２がオフになる一方、電解効果型トランジスタＴｒ３がオンになる。これによりトランジスタＴｒ２は受光素子５１から切り離され、受光素子５１はＩ／Ｖ変換回路５３に電気的に接続されて照度測定が可能になる。
【００７３】
なお、本実施の形態では、３つのトランジスタＴｒ１〜Ｔｒ３によって受光素子５１とＩ／Ｖ変換回路５３との電気的な接続及び切断を行う開閉回路５２を構成しているが、その構成はこれに限定されるものではなく、これら受光素子５１とＩ／Ｖ変換回路５３との電気的な接続及び切断を制御できる構成であれば、どのような構成を採用してもよい。
【００７４】
Ｉ／Ｖ変換回路５３はオペアンプ５３１を用いた反転増幅回路からなり、受光素子５１から出力される光電流を電圧に変換するとともに、その電圧を増幅し、受光量に相当するアナログ信号を出力するものである。より具体的には、オペアンプ５３１の反転入力端子と出力端との間には５個の抵抗Ｒ１〜Ｒ５が並列接続されている。そして、このうち抵抗Ｒ２〜Ｒ５はアナログスイッチＳＷ１〜ＳＷ４を介して並列接続されており、これらのアナログスイッチＳＷ１〜ＳＷ４を制御することによりＩ／Ｖ変換回路５３の増幅率を５段階に切換可能になっている。すなわち、照度計１は５個の測定レンジを有し、受光量に応じて測定レンジを切り換えることにより広い範囲の照度測定が可能になっている。このように、本実施の形態では、４つのアナログスイッチＳＷ１〜ＳＷ４によりレンジ切換回路５３２が構成されており、受光側制御部５７からの制御指令に応じてスイッチＳＷ１〜ＳＷ４のオン／オフ状態が切り換って測定レンジが設定されるようになっている。
【００７５】
ここで、簡易ゼロ点校正方法によるゼロＣＡＬについて、起動時のゼロＣＡＬを例に簡単に説明する。
【００７６】
メインスイッチ２４がオンになり、照度計１が起動すると、まず、操作ボタン又は操作キーの操作状態がチェックされた後、キャリブレーションモードに移行し、ゼロＣＡＬ処理が行われる。ゼロＣＡＬ処理においては、受光部３の電源回路５９ａが起動され、受光素子５１をＩ／Ｖ変換回路５３から切り離した状態で、５つの測定レンジを順次、切り換えて各測定レンジ毎にゼロ点測定が行われる。
【００７７】
すなわち、開閉回路５２をオフにして受光素子５１がＩ／Ｖ変換回路５３から切り離される。この状態では受光素子５１が遮光されているか否かに関係なくその出力電流の大部分はトランジスタＴｒ２に流れ、Ｉ／Ｖ変換回路５３のオペアンプ５３１に入力される電流は無視し得るほど小さい。
【００７８】
具体的にはスイッチＳＷ１〜ＳＷ４を全てオンにしてオペアンプ５３１の帰還抵抗をＲ１〜Ｒ５の並列抵抗値のみとした状態で（すなわち、測定レンジ１について）、Ａ／Ｄ変換回路５６を駆動して照度測定処理が行われる。この測定処理で得られる照度値Ｌoff1はＩ／Ｖ変換回路５３が無入力の状態におけるものであるから、ゼロ点校正用のオフセット量である。このオフセット量Ｌoff1は測定レンジ１に対応付けてＲＡＭ５７３に記憶される。
【００７９】
測定レンジ１に対するオフセット量Ｌoff1の測定が終了すると、続いてスイッチＳＷ４のみをオフにしてオペアンプ５３１の帰還抵抗をＲ１〜Ｒ４の並列抵抗値のみとした状態で（すなわち、測定レンジ２について）、Ａ／Ｄ変換回路５６を駆動して照度測定処理が行われ、測定レンジ２に対するオフセット量Ｌoff2が算出され、測定レンジ２に対応付けてＲＡＭ５７３に記憶される。
【００８０】
以下、スイッチＳＷ３〜ＳＷ１を順次、オフにして測定レンジがレンジ３からレンジ５に順次、切り換えられ、各測定レンジ毎にＡ／Ｄ変換回路５６を駆動して照度測定処理が行われ、測定レンジ３〜測定レンジ５に対するオフセット量Ｌoff3〜Ｌoff5が算出される。オフセット量Ｌoff3〜Ｌoff5はそれぞれ測定レンジ３〜測定レンジ５に対応付けてＲＡＭ５７３に記憶される。
【００８１】
そして、全ての測定レンジに対してゼロＣＡＬが終了すると、電源回路５９ａがオフにされ、自動的にキャリブレーションモードから測定モードに切り換えられ、通常の照度測定が開始される。
【００８２】
Ｉ／Ｖ変換回路５３において設定された測定レンジで求められるアナログ信号は応答速度切換回路５４を介してバッファ回路５５に与えられるとともに、アナログ出力回路５８（図４参照）を介してアナログ出力端子３２に与えられる。
【００８３】
なお、この応答速度切換回路５４は抵抗とコンデンサとを並列接続してなる平滑回路からなり、Ｉ／Ｖ変換回路５３から出力される電圧（直流電圧）の脈動を抑制するものである。コンデンサとアース間にアナログスイッチＳＷ５が設けられ、このアナログスイッチＳＷ５のオン／オフを制御することにより応答速度切換回路５４の平滑動作が制御されるようになっている。すなわち、受光側制御部５７によりアナログスイッチＳＷ５がオフにされると、応答速度切換回路５４では平滑動作が行われず（すなわち、通常の応答速度（通常測定時の速度）で測光され）、等価的にＩ／Ｖ変換回路５３からの出力電圧がアナログ出力回路５８とバッファ回路５５を介してＡ／Ｄ変換回路５６とに入力される。また、受光側制御部５７によりアナログスイッチＳＷ５がオンにされると、応答速度切換回路５４で平滑動作が行われ（すなわち、通常の応答速度より遅い速度で測光され）、Ｉ／Ｖ変換回路５３からの出力電圧を平滑した電圧（脈動を平均化した電圧）がアナログ出力回路５８とバッファ回路５５を介してＡ／Ｄ変換回路５６とに入力される。
【００８４】
バッファ回路５５はオペアンプ５５１とｐｎｐ型トランジスタＴｒ４からなるレベル変換回路とからなり、Ｉ／Ｖ変換回路５３とＡ／Ｄ変換回路５６との整合をとるものである。
【００８５】
また、Ａ／Ｄ変換回路５６はＩ／Ｖ変換回路５３から応答速度切換回路５４及びバッファ回路５５を介して出力される電気信号（アナログ信号）をデジタルの電気信号に変換するものである。Ａ／Ｄ変換回路５６は２個のオペアンプ５６１，５６２を用いた二重積分回路で構成されている。オペアンプ５６１の反転入力端子とこの反転入力端子に接続された放電回路５６３とオペアンプ５６１の出力端子から反転入力端子への帰還回路とにそれぞれアナログスイッチＳＷ６〜ＳＷ８が設けられ、これらのアナログスイッチＳＷ６〜ＳＷ８のオン／オフを制御することによりＡ／Ｄ変換動作（すなわち、照度測定動作）が制御される。
【００８６】
アナログスイッチＳＷ６〜ＳＷ８の制御は受光側制御部５７により行われる。スイッチＳＷ８をオンにしてオペアンプ５６１からなる積分回路をリセットした後、スイッチＳＷ７，ＳＷ８をオフにするとともに、スイッチＳＷ６をオンにすると、抵抗Ｒ６を介して入力される電圧が積分される。積分開始後、所定時間の経過後にスイッチＳＷ６をオフにするとともに、スイッチＳＷ７をオンにすると、コンデンサＣに充電された電荷が放電回路５６３を介して放電され、オペアンプ５６２からは放電開始タイミングと放電完了タイミングの検出信号が出力される。これらの検出信号は受光側制御部５７に入力され、当該検出信号に基づき受光側制御部５７のタイマ５７４を用いて放電時間Ｔが計測される。この放電時間Ｔは受光素子５１で受光された光量に比例するから、受光側制御部５７で放電時間Ｔを単位時間当りの受光量に変換することにより照度が算出される。
【００８７】
なお、上記のようにＩ／Ｖ変換回路５３、応答速度切換回路５４及びＡ／Ｄ変換回路５６を制御する受光側制御部５７は、図５に示すように、中央演算部（ＣＰＵ）５７１、ＲＯＭ５７２、ＲＡＭ５７３及びタイマ５７４を備え、受光部３全体を制御する。
【００８８】
受光側制御部５７は本体側制御部４１からのコマンドに従って測光動作を制御するとともに、測光値を用いて各測定モードに応じた測光結果（相対照度モードにおける相対照度値ΔＬ、相対照度値の％値ΔＬ％や積算照度モードにおける積算照度値Ｌsum、時間平均値Ｌave等）を演算する。また、本体側制御部４１からのコマンドに従って測光動作以外の受光部３の状態に関する所定の制御（バッテリチェック、アナログ信号の出力、本体側制御部２から送信される基準照度値Ｌr、リミット値Ｔlim，Ｅlim等のデータの記憶等）を行う。
【００８９】
また、図４における符号「５９ａ」は受光部側の電源回路であり、この電源回路５９ａから受光部３の各部に電力が供給されている。また、この電源回路５９ａはバッテリチェック回路５９ｂを介して受光側制御部５７と電気的に接続されている。バッテリチェック回路５９ｂは電源回路５９ａの異常（動作不能、出力電圧異常等）を検出する回路であり、受光側制御部５７の指示に従って電源回路４６の動作状態を判別し、その判別結果を受光側制御部５７に入力する。
【００９０】
本実施の形態に係る照度計１は、本体部２と受光部３とを分離し、複数個の受光部３を１個の本体部２にカスケード接続して多点測光システムを構成できるようにしているので、多点測光システムを構成した場合にも本体部２で各受光部３の電源異常を監視できるようにするため、本体部２内だけでなく受光部３内にもバッテリチェック回路５９ｂを設けている。本体部２は各受光部３にバッテリチェックを行わせ、そのチェック結果を受け取ることによりシステム全体の電源状態を監視し、異常が発生した場合は表示パネル１２に警告表示をすることで操作者に電源異常を報知する。このバッテリチェック処理については後述する。
【００９１】
図６は、照度計１の本体部２に複数個の同照度計１の受光部３をカスケード接続してなる多点測光システムの構成を示す図である。また、図７は、同多点測光システムの構成を示す斜視図である。
【００９２】
図６，図７に示す多点測光システムはワイヤード方式によりシステムを構成したもので、本体部２の先端にアダプタ６（以下、本体側アダプタ６という。）を装着するとともに、Ｎ個の受光部３の下端にそれぞれにアダプタ７（以下、受光側アダプタ７という。）を装着し、本体側アダプタ６とＮ個の受光側アダプタ７とを相互に通信ケーブル８で接続したものである。
【００９３】
なお、図６ではＰＣ９で多点測光処理ができるように、ＰＣ９の本体９１が通信ケーブル１０を介して本体部２のデジタルインターフェース端子２７に接続されている。ＰＣ９により多点測光処理が制御される場合は、各受光部３の測光結果（測光結果の演算により得られるデータを含む）がＣＲＴ（Cathode Ray Tube）等の表示装置９２に表示される。また、図６に示すＰＣ９は本体９１と表示装置９２とを組み合わせた構成であるが、このＰＣ９には所定の演算プログラムに従って測光処理が可能な携帯型パーソナルコンピュータやコンピュータ機能を有するその他の電子機器も含まれる。
【００９４】
本体側アダプタ６の上側面及び下側面にはそれぞれ接続部６ａ，６ｂが設けられている。接続部６ｂは受光部３の下面に設けられた接続部３ａと同一の構造を有している。接続部６ｂを本体部２の接続部２ａに嵌入装着させて本体側アダプタ６が本体部２に取り付けられている。
【００９５】
また、受光側アダプタ７は横長長方形の一方長辺を含む両角を切り落してなる六角形の正面形状を有し、その斜辺を含む両側面と上側面とにそれぞれ接続部７ａ，７ｂと接続部７ｃ（図９参照）とが設けられ、接続部７ａと接続部７ｂとの間の下側面に凹部７４が形成され、その凹部７４の底面に当該受光側アダプタ７の受光部番号Ｍを設定するための２個のロータリスイッチ７３１，７３２が設けられている。左側のロータリスイッチ７３１は受光部番号Ｍの１０の桁の数値を設定するもので、図８に示すように「０」〜「２」の数値が設定可能になっている。また、右側のロータリスイッチ７３２で受光部番号Ｍの１の桁の数値を設定するもので、同図に示すように「０」〜「９」の数値が設定可能になっている。従って、同図に示すようにロータリスイッチ７３１を「０」に設定し、ロータリスイッチ７３２を「３」に設定すると、当該受光側アダプタ７が装着される受光部３の受光部番号Ｍは「３」に設定される。
【００９６】
なお、受光部番号Ｍの設定部材はロータリスイッチに限定されるものではなく、例えばディップスイッチ等の他のスイッチであってもよい。また、受光部番号Ｍは複数個の受光部３を識別するものであるから、数字に限定されるものではなく、アルファベット等の記号やその記号と数字との組合わせなどでもよい。例えばＡ０〜Ａ９，Ｂ０〜Ｂ９，Ｃ０〜Ｃ９により３０個の受光部３を識別するようにしてもよい。この場合は、図８におけるロータリスイッチ７３１の設定位置「０」〜「２」は「Ａ」〜「Ｃ」となる。
【００９７】
接続部７ｃは本体部２の上端面に設けられた接続部２ａと同一の構造を有している。また、接続部７ａ，７ｂは本体側アダプタ６の接続部６ａと同一の構造を有し、これらの接続部６ａ，７ａ，７ｂには専用の通信ケーブル８の両端に設けられた接続部８ａが接続可能になっている。
【００９８】
そして、接続部７ｃを受光部３の接続部３ａに嵌入装着させて受光側アダプタ７が受光部３に取り付けられ、本体側アダプタ６の接続部６ａと１番目の受光側アダプタ７の接続部７ａとを通信ケーブル８で接続するとともに、隣り合う受光側アダプタ７の前側のアダプタ７の接続部７ｂと後側のアダプタ７の接続部７ａとを通信ケーブル８で接続して各受光部３が本体部２にカスケードに接続されている。
【００９９】
図９は、ワイヤード方式による多点測光システムに適用されるアダプタの内部構成を示すブロック図である。
【０１００】
同図に示すように、本体側アダプタ６内にはＲＳ−４８５方式によるデータのシリアル通信を制御するインターフェース回路６１とこのインターフェース回路６１に電源を供給するための電源回路６２とが設けられている。一方、受光側アダプタ７内にはＲＳ−４８５方式によるシリアル通信を制御するインターフェース回路７１とこのインターフェース回路７１に電源を供給するための電源回路７２と受光部番号Ｍを設定する受光部設定回路７３とが設けられている。
【０１０１】
なお、図９の受光側アダプタ７のブロック回路に示すように、接続部７ａと接続部７ｂとは電気的に全く等価な構成となっている。従って、各受光部３をカスケードに接続配線する場合、オペレータは通信ケーブル８の接続に当って接続部７ａと接続部７ｂの区別をする必要がなく、無作為的に接続して簡単に多点測光システムを構築することができる。
【０１０２】
本体側アダプタ６内の電源回路６１及び受光側アダプタ７内の電源回路７１は本体部２内の電源回路４６から通信ケーブル８を介して電源が供給され、この電源を所要の電圧電源に変換してそれぞれインターフェース回路６１とインターフェース回路７１とに供給する。また、インターフェース回路６１及びインターフェース回路７１はＲＳ−４８５方式に準拠してデジタルデータの送受を行い、本体側制御部４１若しくはＰＣ９と受光側制御部５７とのデータ通信を可能にする。
【０１０３】
また、受光部番号設定回路７３は２個のロータリスイッチ７３１，７３２により設定された受光部番号Ｍ（１０進数）を１０の桁２ビットと１の桁４ビット（合計６ビット）のバイナリコードに変換し、受光側制御部５７に入力するものである。なお、受光部番号Ｍが記号や記号と数字との組合わせで構成される場合は各受光部番号Ｍに所定のバイナリーコードに割り付け、受光部番号設定回路７３で対応するバイナリーコードに変換するようにすればよい。
【０１０４】
このように多点測光システムでは各受光部３に固有の受光部番号Ｍを設定可能にしているので、受光部番号Ｍにより測定点が特定でき、測定位置と測光結果との対応付けを簡単に行うことができる。従って、カスケード接続において各受光部３の接続順を考慮する必要がなく、簡単に多点測光システムを構成することができる。また、本体部２若しくはＰＣ９による受光部３の測光制御も受光部番号Ｍで測定対象の受光部３を指定することにより容易かつ正確に行うことができるようになっている。
【０１０５】
なお、本実施の形態に係る照度計１は、図１０に示すようにワイヤレス方式により多点測光システムを構成することもできるようになっている。
【０１０６】
図１０に示す多点測光システムは、図６において、本体部２に装着された本体側アダプタ６と１番目の受光部３に装着された受光側アダプタ７とを接続する通信ケーブル８を除去し、当該本体側アダプタ６と当該受光側アダプタ７とにそれぞれ電波をデータの送受信媒体（キャリア）とするアダプタ１１（以下、無線アダプタ１１という。）を装着したものである。
【０１０７】
無線アダプタ１１は、図１１に示すようにその内部にＲＳ−４８５方式に準拠したインターフェース回路１１１と送受信回路１１３とこれらのインターフェース回路１１１及び送受信回路１１３に電源を供給する電源回路１１２とが設けられている。インターフェース回路１１１は図９に示したインターフェース回路６１，７１と同一の機能を果たす回路である。送受信回路１１３はインターフェース回路１１１から出力される送信データを送信信号に変換してアンテナ１１４から出力するとともに、アンテナ１１４で受信した受信信号を復調し、受信データに変換してインターフェース回路１１１に入力する回路である。
【０１０８】
また、電源回路１１２も図９に示した電源回路６２，７２と同一の機能を果たす回路であるが、受光部３、受光側アダプタ７及び受光部側の無線アダプタ１１には本体部２からメインの電源は供給できないので、図略の電源によりメインの電源が供給される。また、長時間の連続測定に対応できるように、無線アダプタ１１にはＡＣアダプタ（図略）の接続端子１１５が設けられており、ＡＣアダプタから電源回路１１２を通じて各受光部３に電力を供給することができるようになっている。
【０１０９】
なお、本実施の形態では電波をキャリアとしてワイヤレス方式の多点測光システムを構成しているが、ワイヤレス方式のキャリアとして赤外線や可視光線等の光を用いてもよい。光をキャリアとすると、光の直進性により障害物で通信範囲が限定されるので、好ましくは電波を利用する方がよい。
【０１１０】
また、図１０では無線アダプタ１１を１組だけ設け、無線通信路を１本にしているが、無線通信路を複数本にしてもよい。すなわち、複数個の受光部３を複数のグループに分け、グループ毎にそのグループに属する複数個の受光部３を受光側アダプタ７及び通信ケーブル８によりカスケード接続するとともに、先頭の受光側アダプタ７に無線アダプタ１１を接続するようにしてもよい。この場合、全無線通信路のキャリア周波数を共通にしてもよいが、グループ毎にキャリア周波数を異ならせるようにしてもよい。
【０１１１】
次に、多点測光システムの測光処理について説明する。
本実施の形態に係る多点測光システムにおいては、本体部２の本体側制御部４１若しくはＰＣ本体９１内の制御部と各受光部３の受光側制御部５７との間でデータ交信を行って各測定点の測光が行われる。具体的には本体側制御部４１から測光すべき受光部３の受光側制御部５７にコマンドデータが送信され、受光側制御部５７がそのコマンドに従って測光、測光値の演算（各種の表示形式に対応した測光値の演算）等の処理やその他の処理（本体制御部４１から送信されたデータの保存やバッテリチェック等の処理）を行い、その測光結果や処理結果が本体制御部４１に返送され、表示パネル１２に表示されることにより、当該受光部３の配置された測定点の測光が行われる。
【０１１２】
図１２は、本体部２若しくはＰＣ９と受光部３との通信における伝文フォーマットである。
【０１１３】
同図において、「ＳＴＸ」及び「ＥＴＸ」はそれぞれ伝文の最初と最後とを示すデータであり、「ＢＣＣ」はパリティチェック用データである。同図に示すように、伝文内容は受光部番号Ｍ，コマンドＮｏ．及びコマンドに付随するデータＤからなり、受光部３を特定してコマンドとそれに付随するデータＤとが送受されるようになっている。
【０１１４】
本体部２若しくはＰＣ９から受光部３への通信においては、通信ケーブル８及び受光側アダプタ７を介して全受光部３に伝文が送信されるが、各受光部３で伝文内の受光部番号Ｍが確認され、指定された受光部番号Ｍを有する受光部３のみでコマンドＮｏ．に対する処理が行われる。そして、必要に応じて当該受光部３から本体部２若しくはＰＣ９にコマンドの処理結果が返送される。この処理結果の返送も図１１に示すフォーマットの伝文で行われる。
【０１１５】
受光部３から本体部２若しくはＰＣ９に伝文が送信されると、本体部２若しくはＰＣ９で受信した伝文から受光部番号Ｍ及びコマンドＮｏ．が確認され、その確認結果に基づいて受信したデータＤの処理（データＤの表示やＲＡＭ４１３への記憶等の処理）が行われる。
【０１１６】
なお、コマンドＮｏ．はコマンド内容を数値コードで示したもので、例えば本体側制御部４１若しくはＰＣ９から受光側制御部５７に送信されるコマンドとして、下記表３のようなコマンドＮｏ．が定義されている。
【０１１７】
【表３】
0003855515.tif 000004
【０１１８】
表３において、「一般測定値の読込み」や「基準照度値Ｌrの読込み」等のデータの読込み命令は、受光部３の有するデータ（メモリに記憶されているデータや測光によって得られるデータ等）を本体部２に送信することを指令するものである。また、「基準照度値Ｌrの設定」や「積算リミット値Ｅlimの設定」等のデータの設定命令は、本体部２から送信するデータを受光部３のメモリに記憶させる命令である。
【０１１９】
コマンドＮｏ．５１の「アンサタイムラグの設定」は、図１３に示すように受光部３が本体部２からのコマンドを受信してからそのコマンドに対する応答を行うまでの遅延時間τ（この遅延時間τをアンサタイムラグτという。）を各受光部３に設定するためのコマンドである。アンサタイムラグτの設定は本体部２からのコマンドに対する各受光部３の応答時間を設定することにより本体部２と各受光部３との通信を円滑に行うため、多点測光システムの起動後、直ちに行われる。
【０１２０】
また、多点測光システムの起動時（電源電池挿入時を含む）における各受光部番号Ｍの受光部３の接続／非接続の確認においては、その確認のための通信における各受光部３のアンサタイムラグτを計時し、その計時結果に基づいて受光部番号Ｍの受光部３の有無、受光部番号Ｍの受光部３が接続されている場合はワイヤード方式／ワイヤレス方式のいずれで測光システムが構成されているかが判別されるようになっている。この判別のための閾値には長短２種類のτ１とτ２（＞τ１）とがあり、τ２＜τではその受光部番号Ｍの受光部３は非接続と判別され、τ１＜τ≦τ２では測光システムがワイヤレス方式で構成されていると判別され、τ≦τ１では測光システムがワイヤード方式で構成されていると判別される。
【０１２１】
なお、測光システムの判別を上述のようにしているのは、図１０に示すようにワイヤレス方式がワイヤード方式の構成に無線アダプタ１１を追加して構成され、無線アダプタ１１が介在している分、ワイヤード方式に比べて応答時間が遅くなるとともに、ワイヤレス方式の通信シーケンスをワイヤード方式のそれと異ならせていることに基づくものである。
【０１２２】
すなわち、本実施の形態では、ワイヤード方式においては、本体部２から受光部３にコマンドは１回しか送信されないが、ワイヤレス方式においては、電波による通信区間での交信信頼度を確保するため、本体側の無線アダプタ１１と受光部側の無線アダプタ１１との間で同一の通信を複数回（少なくとも２回で、例えば３回）交信している。従って、本体部２側から見た交信シーケンスはワイヤード方式の場合とワイヤレス方式の場合とで異なっている。つまり、ワイヤレス方式における受光部３の応答時間はワイヤード方式のそれよりも遅延するので、τ＜τ１ではワイヤード方式、τ１＜τ≦τ２ではワイヤレス方式となる。なお、τ１はワイヤレス方式では応答できないが、ワイヤード方式では応答可能な最長応答時間（例えば５０ｍｓ）であり、τ２はワイヤレス方式における最長応答時間（例えば１５０ｍｓ）である。
【０１２３】
また、表３において、コマンドＮｏ．５２の「低消費電力モードに移行」は受光部３の駆動を節電モードに変更する命令である。低消費電力モードとは、上述したようにワイヤード方式では本体部２の電源回路４６から各受光部３の電源回路５９ａに電源が供給されるので、例えば各受光部３に周期的に測光動作（例えば５００ｍｓ毎の測光動作）を行わせてその測光結果を逐次、表示パネル１２に表示させる場合、測光をしていない期間は電源回路５９ａの駆動を停止させて受光部３での電力消費を低減させるモードである。また、コマンドＮｏ．５４の「接続モード切換え」はＰＣ９から本体側制御部４１に送信されるコマンドで、受光部３が接続された本体部２をＰＣ９に切り換えるためのコマンドである。
【０１２４】
本実施の形態に係る照度計の場合、積算照度モードを備えているので、各受光部３は本体部２側から交信相手として選択されていないときでも所定の時間間隔で並行して測定を継続をしている。このため、低消費電力モードが適用できるのは測光動作間の僅かの時間である。しかし、積算照度モードを備えていない照度計や色彩計等の場合は本体部２側から選択されていない受光部３はその間ずっと低消費電力モードに入ることができるので、大幅な省電ができる。
【０１２５】
次に、図１４〜図２１に示すフローチャートを用いて、具体的な測光処理について説明する。
【０１２６】
なお、上述したようにワイヤレス方式では通信の確実性を確保するため、本体部２若しくはＰＣ１と受光部３との間で同一データが複数回（少なくとも３回）交信される点がワイヤード方式と異なるが、通信手順はワイヤード方式もワイヤレス方式も共通で、図１４〜図２１のフローチャートに従って通信処理が行われる。
【０１２７】
図１４，図１５は、多点測光システムの測光処理を示すメインフローチャートである。
【０１２８】
多点測光システムで複数点の照度を測定する場合、測定者は予め受光側アダプタ７のロータリスイッチ７３１，７３２により各受光部３の受光部番号Ｍを設定し、各受光部３を所定の測定点に配置した後、本体部２のメインスイッチ２４をオンにすることで測定が開始される。
【０１２９】
図１４，図１５において、「ＲＥＳＥＴ」からの処理手順は本体部２に電源電池が装填されたときのものであり、「ＰＯＷ ＳＷ ＯＮ」からの処理手順は本体部２のメインスイッチ２４がオンにされたときのものである。また、「ＴＭ−Ｂ（１０ｍｓ経過）」からの処理手順は１０ｍｓ毎にタイマ割込みを掛け、第１操作部２２１、第２操作部２２２のキー入力又はその他の操作部材を検知し、いずれかの入力があったとき、その入力内容に従って処理する場合のものである。
【０１３０】
従って、メインスイッチ２４による起動では本体側制御部４１のＩ／Ｏポートが起動時の初期値に設定され、ＲＡＭ４１３の一部領域がクリアされた後（＃５）、ステップ＃９に移行する。また、１０ｍｓ毎の入力検知処理では、本体側制御部４１内のタイマＢ（図略）のカウントを開始した後（メインフローのステップ＃１９）、入力の検知タイミングが検出されると（＃７）、ステップ＃２１に移行し、入力の有無が判別される。
【０１３１】
「ＲＥＳＥＴ」からの処理手順においては、本体部２に電源電池が装填されると、まず、本体側制御部４１のＩ／Ｏポートの初期化が行われるとともに、ＲＡＭ４１３の内容が全てクリアされ（＃１）、表示パネル１２のＬＣＤセグメントが２秒間全点灯される（＃３）。この全セグメント表示は表示パネル１２の異常をチェックするためのものである。
【０１３２】
続いて、表示パネル１２に初期表示が行われ（＃９）、全受光部３の電源回路５９ａに電源が供給されて受光側制御部５７が起動される（＃１１）。受光側制御部５７は、起動すると、受光側アダプタ７から設定された受光部番号Ｍのデータを取り込み、そのデータをＥＥＰＲＯＭ６０に記憶する。
【０１３３】
続いて、図１６，図１７に示す「機種設定、接続受光部の登録」のフローチャートに移行し、本体部２にカスケード接続されている受光部３の受光部番号Ｍの登録や多点測光システムの方式（ワイヤード方式又はワイヤレス方式）の設定等が行われる（＃１３）。
【０１３４】
「機種設定、接続受光部の登録」のフローに移行すると、まず、表示パネル１２に「ＣＡＬ」の文字が表示される（＃４１）。この「ＣＡＬ」表示は多点測光構成において初期通信処理を行っていることを示すものである。続いて、初期通信処理において接続受光部を確認するために最初に送信すべきデータが設定される（＃４３）。
【０１３５】
接続受光部の確認は、本体部２から全受光部３に設定可能な受光部番号Ｉ（＝０〜２９）を順次、送信し、送信した受光部番号Ｉと同一の受光部番号を有する受光部３から応答を受けることにより行われる。本実施の形態では設定可能な受光部番号Ｉの使用状況を「０」から「２９」の昇順方向に確認するようにしているので、接続受光部の確認において送信されるデータには受光部番号Ｉのデータが含まれ、その初期値には「０」が設定される。
【０１３６】
また、接続が確認された受光部３には当該受光部３の受光部番号Ｒより小さい既に接続が確認された受光部番号の中の最大値Ｒmaxが設定されるようなっている。このように各受光部３に受光部番号Ｒmaxを設定するのは、本体部２から全受光部３にデータ要求コマンドが送信され、受光部番号の小さい順に各受光部３から本体部２に要求データが返送される場合、使用されている受光部番号が不連続であっても各受光部３は当該受光部３の受光部番号Ｒより小さい隣りの受光部番号Ｒmaxの受光部３から本体部２に要求データが送信されたことを確認することで、直ちに自己の要求データを本体部２に送信することができるにするためである。すなわち、欠番の受光部番号についてはスキップして本体部２が各受光部３から連続的に要求データを取り込むことができるようにすることにより多点測光システムにおける通信時間をできるだけ短縮できるようにするものである。
【０１３７】
接続受光部の確認において送信されるデータには受光部番号Ｉより小さい既に接続が確認されている受光部番号Ｒmaxのデータも含まれるが、最初に送信される場合は、受光部番号Ｒmaxは存在しないので、ディフォルト値して設定可能な受光部番号の最大値（Ｍmax＋１）（本実施の形態では「３０」）が設定される。従って、ステップ＃４３では最初に送信すべきデータとしてＩ＝０，Ｊ＝Ｍmax＋１が設定される。
【０１３８】
なお、本実施の形態では受光部番号Ｉの小さい方から大きい方に順次、受光部番号の有無を確認するようにしているので、接続受光部確認用の送信データの初期値（Ｉ，Ｍmax）を（００，３０）に設定しているが、受光部番号Ｉの大きい方から小さい方に順次、受光部番号の有無を確認するようにしてもよい。
【０１３９】
続いて、受光部３の応答の遅れ時間τによりワイヤレス方式であるか、ワイヤード方式であるかの判別を行うための閾値τrとしてワイヤレス方式のアンサタイムラグτ２（例えば１５０ｍｓ）が設定される（＃４５）。続いて、送信データのフォーム（図１２参照）が設定され（＃４７）、この送信データの受光部番号Ｍ及びコマンドＮｏ．の部分に確認すべき受光部番号Ｉ（＝００）と受光部接続調査のコマンド番号「５２」（表３参照）とがそれぞれセットされ（＃４９）、更にデータＤの部分に既に接続が確認された最大の受光部番号Ｒmaxがセットされた後（＃５１）、その送信データが全受光部３に送信される（＃５３）。
【０１４０】
各受光部３では受信したデータから受光部番号Ｉと受光部番号Ｒmaxとが抽出されるとともに、ＥＥＰＲＯＭ６０から受光部番号Ｍが読み出され、その受光部番号Ｍが受光部番号Ｉと一致するか否かが判別される。そして、両者が一致していれば、受光部番号Ｒmaxが受光側制御部５７内のＲＡＭ（図略）に記憶され、受光部番号Ｍが本体部３に返送される。一方、受光部番号Ｍと受光部番号Ｉとが一致しない受光部３では受信したコマンドが無視され、本体部２にコマンドに対する応答は行われない。
【０１４１】
続いて、いずれかの受光部３から送信した受光部番号Ｉと同一の受光部番号Ｍが返送されたか否かが判別され（＃５５）、所定の時間τ２内にいずれの受光部３からも応答がなければ（＃５５でタイムオーバー）、当該受光部番号Ｉは使用されなかった（すなわち、受光部番号Ｉの受光部３は存在しない）ものとしてステップ＃６９に移行する。一方、所定の時間τ２内にいずれかの受光部３から応答があれば（＃５５で受信完了）、その応答時のアンサタイムラグτが取り込まれ（＃５７）、このアンサタイムラグτがワイヤード方式のアンサタイムラグτ１（例えば５０ｍｓ）を超えているか否かが判別される（＃５９）。そして、τ≦τ１であれば（＃５９でＹＥＳ）、閾値τrがアンサタイムラグτ１に変更され（＃６１）、τ１＜τ≦τ２であれば（＃５９でＮＯ）、ステップ＃６１はスキップされる。
【０１４２】
続いて、受信データから接続が確認された受光部３の機種の適合性が判別される（＃６３）。本実施の形態では本体部２に接続される受光部３はこれまで、１種類で説明してきた。しかし、同一形状の本体部２及び受光部３を用いて全く別機種の照度計や色彩計を本体部と受光部間の交信を共通の設計で作ることが可能である。このとき、本体部２に対して異機種の受光部３が機構的に結合可能であるため、信号処理で正規の組合わせかどうかを判定してやる必要がある。ステップ＃６３の判別はこの判定を行うものである。
【０１４３】
ステップ＃６３で受光部３が不適合であるときは（＃６３でＮＯ）、エラーフラグをセットしてリターンし（＃６５）、受光部３が適合していれば（＃６３でＹＥＳ）、当該接続が確認された受光部３の受光部番号Ｍが本体側制御部４１のＲＡＭ４１３に登録される（＃６７）。従って、最初の受光部確認で応答があれば、受光部番号Ｍ＝００がＲＡＭ４１３に記録される。
【０１４４】
続いて、確認すべき受光部番号Ｉの値が１だけインクリメントされ（＃６９）、この受光部番号Ｉが接続可能な受光部数Ｎ（＝３０）以上になったか否かが判別される（＃７１）。Ｉ＜Ｎであれば（＃７１でＹＥＳ）、ステップ＃４７に戻り、上述した手順で次の受光部番号（Ｉ＋１）について受光部３の接続が確認される（＃４７〜＃７１）。
【０１４５】
そして、全ての受光部番号Ｉについて受光部３の有無が確認されると（＃７１でＮＯ）、閾値τrの設定内容からワイヤード方式かワイヤレス方式かの判別が行われ（＃７３）、ワイヤード方式であれば（すなわち、τr＝τ１であれば）、ワイヤードフラグがセットされ（＃７７）、ワイヤレス方式であれば（すなわち、τr＝τ２であれば）、ワイヤレスフラグがセットされ（＃７７）、メインフローにリターンする。
【０１４６】
図１４のメインフローに戻り、接続受光部の登録が終了すると、エラーフラグの設定状態に基づいて不適合受光部の有無が確認され（＃１５）、受光部が不適合である（すなわち、エラーフラグがセットされている）ときは（＃１５で不適合）、表示パネル１２にその旨を示す「Ｅｒｒ」の文字が表示され（＃１７）、ウォッチモードに移行する。このウォッチモードは不適合な受光部３を除去してメインスイッチ２４をオンにすると、解消され、「ＰＯＷ ＳＷ ＯＮ」から処理が開始される。
【０１４７】
一方、受光部３が適合している（すなわち、エラーフラグがセットされていない）ときは（＃１５で適合）、１０ｍｓ毎にタイマ割込みを掛けてキー入力及びその他の操作スイッチの入力をチェックするためのタイマＢのカウントを開始した後（＃１９）、第１操作部２２１又は第２操作部２２２のキー入力及びその他の操作スイッチのチェックが行われる（＃２１）。ここで、いずれかの入力があれば、ステップ＃２３以降の処理に移行し、いずれの入力もなければ、タイマＢのカウントが積算され（＃７）、１０ｍｓ経過すると、再度、第１操作部２２１又は第２操作部２２２の入力のチェックが行われる（＃２１）。
【０１４８】
そして、いずれかの入力が検出されると、その操作がメインスイッチ２４をオフからオンにするものであるか否かが判別され（＃２３）、メインスイッチ２４をオンからオフにするものであれば（＃２３でＯＦＦ）、ステップ＃３７，＃３９に移行し、電源オフの処理（データの退避等）が行われる。
【０１４９】
また、メインスイッチ２４をオフからオンにするものであれば（＃２３でＯＮ）、入力された操作に応じた所定が処理が行われる（＃２５，＃２７）。例えばアップキー２２２ｄ又はダウンキー２２２ｆにより受光部３が指定され、ノーマルキー２２１ａによりその受光部３について一般測定が指示されると、本体側制御部４１は指定された受光部３の受光部番号Ｍと一般測定のコマンドＮｏ．１０のデータを伝文フォーマットにセットして受光部３に送信する（＃２５）。
【０１５０】
受光部番号Ｍの受光部３の受光側制御部５７は本体側制御部４１からのコマンドを受信すると、電源回路５９ａを起動し、受光素子５１〜Ａ／Ｄ変換回路５６の駆動を制御して測光するとともに、その測光結果を用いて照度値Ｌ，相対照度値ΔＬ，ΔＬ％、積算照度値Ｌsum、時間平均値Ｌave等を演算し、その演算結果を本体側制御４１に送信する。本体側制御部４１は照度の測定結果を受信すると、一旦ＲＡＭ４１３に記憶し、指示された表示内容の測光値を表示パネル１２に表示する（＃２７）。
【０１５１】
続いて、キー操作により表示パネル１２の表示内容を測定値以外の内容に書き換える要求がなされているか否か、あるいは他の表示内容の測光値に書き換える要求がなされているか否かが判別され（＃２９，＃３３）、書換要求がなければ（＃２９又は＃３３でＮＯ）、測光値の表示パネル１２への表示を保持してスタンバイモードに移行する。一方、書換要求があれば（＃２９及び＃３１でＹＥＳ）。その要求のあった内容に表示パネル１２の表示が変更されて（＃３１，＃３５）、スタンバイモードに移行する。
【０１５２】
上述の図１４，図１５に示すフローチャートは１回の測光処理を示したもので、実際の測定では所定の間隔（例えば５００ｍｓ間隔）で測光処理が繰り返され、各測光結果が更新的に表示パネル１２に表示されるようになっている。スタンバイモードとは次の測光処理が行われるまで（すなわち、次の測光処理の割込みが掛かるまで）の間の本体側制御部４１及び受光側制御部５７の処理モード（具体的には測光待機状態のモード）で、例えば受光部３が低消費電力モードに設定されている場合は、スタンバイモードに移行すると、測光待機中は電源回路５９ａの駆動を停止して節電が図られる。
【０１５３】
図１８は、５００ｍｓの間隔で測光処理の割込みを掛けるためのタイマ割込みの処理手順を示すフローチャートである。
【０１５４】
本体側制御部４１にタイマＡ（図略）によるタイマ割込みが掛かると、受光部３に再度、測光をさせるべく送信データの準備が行われ（＃８１）、データの送信中を示すフラグがセットされる（＃８３）。そして、タイマＤ（図略）が起動され、このタイマＤからシリアル通信用の基準クロック（例えばクロック周波数１９．２ｋＨｚ）が本体側制御部４１に入力される（＃８５）。基準クロックは送受信データをビット単位で送受するための同期信号であり、通信期間だけ基準クロックが起動されて本体側制御部４１に入力されるものである。また、基準クロックはＰＣ９と受光部３との通信を行う際にも使用される。
【０１５５】
図１９は、基準クロックに基づきデータの送受信を行う通信手順のフローチャートである。
【０１５６】
タイマＤの割込みにより基準クロックが入力されると、データの送信であるか、データの受信であるかが判別され（＃９１）、データの送信であるときは、タイマＤにより５２．０８μｓ（１９．２ｋＨｚの周期）がカウントされる毎に送信データの先頭から１ビットずつ全受光部３に送信され（＃９１，＃９３，＃９５のループ）、全ビットが送信され、送信データの送信が終了すると（＃９５で送信終了）、所定の送信終了処理が行われるとともに、送信中のフラグ（図１８のステップ＃８３参照）がリセットされ（＃９７）、タイマＤの駆動が停止されて割込み処理は終了する（＃９９）。
【０１５７】
一方、データの受信であるときは、タイマＤにより５２．０８μｓがカウントされる毎に受光部３から送信されるデータを先頭から１ビットずつ受信して受信バッファ（図略）に格納し（＃９１，＃１０１，＃１０３のループ）、全ビットを受信し、受信データの受信が終了すると（＃１０３で受信終了）、所定の受信終了処理が行われるとともに、受信中のフラグ（図２０のステップ＃１１５及び図２１のステップ＃１２５を参照）がリセットされ（＃１０５）、表示パネル１２の表示内容の書換要求フラグがセットされた後（＃１０７）、タイマＤの駆動が停止されて割込み処理は終了する（＃１０９）。
【０１５８】
図２０は、各受光部３からの割込みに対する本体部２の割込み処理を示すフローチャートである。
【０１５９】
受光部３からの割込み（以下、この割込みを「ＩＮＴ−０割込み」という。）が入ると、割込み時に他の受光部３にデータの送信中であるか、あるいはＰＣ９と通信中であるか否かが判別され（＃１１１，＃１１３）、他の受光部３にデータ送信中であるか、あるいはＰＣ９と通信中であれば（＃１１１又は＃１１３でＹＥＳ）、ＩＮＴ−０割込みを禁止するべく割込み処理を終了する。一方、データ送信又はＰＣ９との通信のいずれでもなければ（＃１１１でＮＯ，＃１１３でＮＯ）、受信中のフラグがセットされるとともに（＃１１５）、他の受光部３からのＩＮＴ−０割込みが禁止され（＃１１７）、受光部３からの送信データを受信するべくタイマＤを起動して基準クロックが生成される（＃１１９）。そして、この後は図１９のフローチャートに従って基準クロックに基づき受光部３からのデータが受信される。
【０１６０】
図２１は、ＰＣ９により多点測光処理を行うべく当該ＰＣ９から本体側制御部４１に割込みが入った場合の割込み処理を示すフローチャートである。
【０１６１】
ＰＣ９からの割込み（以下、この割込みを「ＩＮＴ−１割込み」という。）が入ると、現在、他の受光部３にデータの送信中であるか、あるいはＩＮＴ−０割込みの処理中であるか否かが判別され（＃１２１，＃１２３）、他の受光部３にデータ送信中であるか、あるいはＩＮＴ−０割込みの処理中であれば（＃１２１又は＃１２３でＹＥＳ）、ＩＮＴ−１割込みを禁止するべく割込み処理を終了する。一方、データ送信及びＮＴ−０割込み処理のいずれでもなければ（＃１２１でＮＯ，＃１２３でＮＯ）、受信中のフラグがセットされるとともに（＃１２５）、ＩＮＴ−１割込みが禁止され（＃１２７）、ＰＣ９からのデータを受信するべくタイマＤを起動して基準クロックが生成される（＃１１９）。そして、この後は図１９のフローチャートに従って基準クロックに基づきＰＣ９からのデータが受信される。
【０１６２】
なお、ＰＣ９により多点測光処理が行われる場合は、図２１に示す「ＩＮＴ−１割込み」の割込み処理によりＰＣ９から本体側制御部４１にコマンドＮｏ．５４のデータが送信され、本体制御部４１を介して切換スイッチ４５のコモン端子の接続点が本体側制御部４１側から通信インターフェース回路４４側に切り換えられる。これによりＰＣ９が通信インターフェース回路４４及び切換スイッチ４５を介して各受光部３の受光側制御部５７に接続され、各受光側制御部５７はＰＣ９からのコマンドに基づいて測光処理を行うことになる。
【０１６３】
本体側制御部４１はＰＣ９からコマンドＮｏ．５４を受信すると、切換スイッチ４５の接続を切り換えるとともに、表示パネル１２の表示をＰＣによる制御であることを示す「ＰＣ」の文字表示に切り換え、制御主体がＰＣ９に切り換えられていることを操作者に報知する。ＰＣ９により多点測光が行われる場合も各受光部３との通信プロトコルは本体部２との通信プロトコルと同様である。ＰＣ９は図１２に示す伝文フォーマットのデータを各受光部３との間で交信して測光データを収集し、その収集データを予め設定された所定のプログラムに従って適宜、加工し、所定の表示形式で表示装置９２に表示する。
【０１６４】
次に、多点測光システムにおけるバッテリチェックについて、図２２のフローチャートに従って説明する。
【０１６５】
上述したように、本体部２と各受光部３とにそれぞれ独立に電源回路４６と電源回路５９ａとが設けられ、各電源回路４６，５９ａはバッテリチェック回路４７とバッテリチェック回路５９ｂとによりそれぞれチェックされるようにしているので、本体側制御部４１は、図２２に示す処理手順に従ってバッテリチェック回路４７で電源回路４６の状態をチェックするとともに（＃１３１）、受光側制御部５７を介してバッテリチェック回路５９ｂで電源回路５９ａの状態をチェックさせ（＃１３３）、そのチェック結果に応じた所定の警告表示を表示パネル１２に行う（＃１３３〜＃１３７）。
【０１６６】
すなわち、本体側の電源回路４６のバッテリチェックを行い、電源回路４６が正常であれば（＃１３１でＯＫ）、表示パネル１２に通常表示を行い（測光値の表示を行い）、電源異常を示す所定のバッテリマーク（絵文字）は表示しない（＃１３３）。一方、本体側の電源回路４６が不良であれば（＃１３１でＮＧ）、表示パネル１２にバッテリマークのみを点滅表示する（＃１３７）。
【０１６７】
また、本体側の電源回路４６の出力が警告領域であれば（＃１３１でＡｌａｒｍ）、更に各受光部３の受光側制御部５７を介して当該受光部３の電源回路５９ａのバッテリチェックを行い、受光部３の電源回路５９ａが全て良好であれば（＃１３３でＡＬＬ ＯＫ）、表示パネル１２に通常表示を行うとともに、バッテリマークの点滅表示を行う（＃１３５）。すなわち、この場合は電源電池の消耗であると考えられるので、オペレータに電池交換を報知するため、通常表示に加えてバッテリマークの点滅表示が行われる。
【０１６８】
一方、１個でも受光部３の電源回路５９ａが不良であれば（＃１３３でＮＧ）、本体側の電源回路４６の不良の場合と同様に表示パネル１２にバッテリマークのみを点滅表示する（＃１３７）。すなわち、本体部２及び受光部３のいずれかの電源回路４６，５９ａに異常が発生すると、バッテリマークのみが点滅表示される。
【０１６９】
従って、操作者は表示パネル１２のバッテリマークの表示態様によって電源異常の内容を知ることができ、その内容に従って容易に適切な措置を採ることができる。
【０１７０】
上記のように、本体側アダプタ６、受光側アダプタ７及び通信ケーブル８を用いて１台の本体部２に複数個の受光部３をカスケード接続可能にしているので、単体の照度計１を複数個カスケード接続する場合に比べて簡単な構成で多点測光システムを構成することができる。特に、照度計１の本体部２と受光部３とを分離可能にしているので、照度計１が１台あれば、測定点の数Ｎに対して（Ｎ−１）個の受光部３、１個の本体側アダプタ６、Ｎ個の受光側アダプタ７及びＮ本の通信ケーブル８を用意すれば、多点測光システムを構成することができ、多点測光システムの構成コストを低減することができる。
【０１７１】
また、本体部２とカスケード接続される複数個の受光部３とを無線通信により結合してシステムを構成できるようにしているので、測定点が遠隔地や空中であっても簡単に多点測光システムを構成することができる。また、信号線の引き回しによる測定系の煩雑さも軽減され、信号線を引っ掛けて接触不良や断線等が生じることも防止することができる。
【０１７２】
また、本体部２にＰＣ９を外部接続可能にするとともに、ＰＣ９からのコマンドで本体部２にカスケード接続されている受光部３をＰＣ９に切換接続できるようにしているので、ＰＣ９を用いた多点測光システムも簡単に構成することができ、ＰＣ９の強力なデータ処理機能、表示機能を活用して多点の測定データを同時的、多元的に処理することができる。
【０１７３】
なお、本実施の形態では各受光部３が本体部２に直接装着可能になされ、単独の照度計１を構成し得るものについて説明したが、単独の照度計１を構成しない複数個の受光部３と１個の本体部２とを組み合わせ、複数個のアダプタ６，７及び通信ケーブル８を用いて多点測光システムを構成するようにしてもよい。この場合は、本体部２と受光部３とのデータ通信による測光処理が共通である限り、機種の異なる照度計１の受光部３が含まれることになっても多点測光システムを構築できる利点がある。
【０１７４】
【発明の効果】
以上説明したように、本発明によれば、複数個の受光手段をそれぞれ第１のインターフェースと通信ケーブルとを介して接続するとともに、この接続された第１のインターフェースの一方端の第１のインターフェースを通信ケーブルで第２のインターフェースに接続して複数個の受光手段を１個の本体制御手段に接続して多点測光システムを構成したので、単独の測光機器をカスケード接続してなる多点測光システムに比べて構成が簡素かつ小型になるとともに、コストメリットも向上する。
【０１７５】
また、各受光手段を本体制御手段に直接、装着可能にし、単独の測光機器を構成可能にしたので、受光手段と本体制御手段とが互いに分離可能な単独の測光機器の構成要素を用いて多点測光システムを構築でき、コストメリットがより向上する。
【０１７６】
また、第１のインターフェースに複数個の受光手段を識別する識別番号を設定可能にし、本体制御手段が識別番号を指定して各受光手段とデータ通信できるようにしたので、複数個の受光手段を接続する際、各受光手段を任意の順番で縦続接続することができる。また、多点測光において、操作者は所望の受光手段を任意に選択して簡単に測光データを得ることができ、操作性が向上する。
【０１７７】
特に、各受光手段に設定された識別信号を確認することにより接続された受光手段の総数を自動判別するようにしたので、操作者が測定点の数を手動入力する手間が省け、操作性が向上する。また、各受光手段の測光データを当該受光手段の識別番号に対応づけて表示するようにしているので、操作者は測光データと測定点との関係を容易に把握することができる。また、複数個の測光データに対して最大値、最小値及び平均値を算出して表示するようにしているので、多点測光特有の代表的な測光データを簡単に得ることができる。
【０１７８】
また、各受光手段の受光時の応答速度を本体制御手段側で切換可能にしたので、受光光の脈動状態に応じて受光応答速度を高／低、２段階のいずれかに切り換える必要がある場合にも全ての受光手段の受光時の応答速度を本体制御手段側で一度に切換設定ができ、操作者の切換操作が容易となる。
【０１７９】
また、各受光手段に電源異常検出手段を設け、各受光手段からその検出結果を取り込んで、本体制御手段で測光システムの電源異常を判別するようにしたので、いずれかの測定点に電源異常に基づく不適切な測光データが含まれる場合もそれを検出することができ、信頼性の高い多点測光が可能となる。更に、電源異常が検出されたときは、所定の警告表示をするようにしたので、操作者は異常原因に応じた適切な措置を簡単に講じることができる。
【０１８０】
また、互いに接続された第１のインターフェースの一方端の第１のインターフェースと第２のインターフェースとにそれぞれデータを無線信号に変換して互いに送受する第３のインターフェースを設け、多点測光システムの通信経路の一部に無線通信路を形成するようにしたので、測定点が広範囲に亘る場合や遠隔地にある場合でも簡単に多点測光系を構成することができる。特に、電波により無線通信を行うようにしたので、多少の障害物がある場合にもその障害物の影響を受けることなく多点測光系を構成することができる。また、比較的狭い範囲に多数個の測定点が設けられる場合にも無線通信方式（ワイヤレス方式）とすることで測定系が整理され、複数本の通信ケーブルが煩雑に配線されることに起因する測定事故も防止することができる。
【０１８１】
また、ワイヤレス方式により多点測光システムを構成したときは、本体制御手段と受光手段とのデータ通信で同一のデータを少なくとも２回以上交信するようにしたので、無線通信による送信エラーを低減することができる。更に、ワイヤレス方式では、本体制御手段からの送信データに対する受光手段からの応答遅延時間を検出し、この遅延時間に基づいて多点測光システムがワイヤレス方式であるか否かを自動判別するようにしたので、操作者はワイヤレス方式とワイヤード方式とを区別することなく簡単に多点測光システムを構成することができる。
【０１８２】
また、本体制御手段に電子情報処理装置を外部接続可能にするとともに、本体制御手段に代えて電子情報処理装置と各受光手段との間でデータ通信可能にしたので、電子情報処理装置により多数点の測光データを同時的、多元的に処理でき、多点測光の処理能力を広範囲に向上させることができる。そして、電子情報処理装置により測光処理が制御されているときは、本体制御手段にその旨の所定の表示をさせるようにしているので、操作者は多点測光システムの制御主体を簡単に把握することができる。
【図面の簡単な説明】
【図１】本発明に係る多点測光システムに適用される照度計の一例を示す正面図である。
【図２】本発明に係る多点測光システムに適用される照度計の一例を示す右側面図である。
【図３】本発明に係る多点測光システムに適用される照度計の本体部と受光部とを分離した状態を示す正面図である。
【図４】本発明に係る多点測光システムに適用される照度計の内部構成を示すブロック図である。
【図５】受光部の回路構成の一例を示す図である。
【図６】本発明に係るワイヤード方式による多点測光システムの構成を示す図である。
【図７】本発明に係るワイヤード方式による多点測光システムの構成を示す斜視図である。
【図８】受光部番号設定用のロータリスイッチの切換表示を示す図である。
【図９】ワイヤード方式による多点測光システムに適用されるアダプタの内部構成を示すブロック図である。
【図１０】本発明に係るワイヤレス方式による多点測光システムの構成を示す図である。
【図１１】ワイヤレス方式による多点測光システムに適用されるアダプタの内部構成を示すブロック図である。
【図１２】本体部若しくはＰＣと受光部との通信における伝文フォーマットを示す図である。
【図１３】アンサタイムラグを説明するための図である。
【図１４】本発明に係る多点測光システムの測光処理を示すメインフローチャートである。
【図１５】本発明に係る多点測光システムの測光処理を示すメインフローチャートである。
【図１６】本体部に接続されている受光部の確認及び設定を行う「機種設定、接続受光部の登録」のフローチャートである。
【図１７】本体部に接続されている受光部の確認及び設定を行う「機種設定、接続受光部の登録」のフローチャートである。
【図１８】５００ｍｓの間隔で測光処理の割込みを掛けるためのタイマ割込みの処理手順を示すフローチャートである。
【図１９】基準クロックに基づきデータの送受信を行う通信手順のフローチャートである。
【図２０】各受光部からの割込みに対する本体部の割込み処理を示すフローチャートである。
【図２１】ＰＣにより多点測光処理を行うべく当該ＰＣから本体側制御部に割込みが入ったときの割込み処理を示すフローチャートである。
【図２２】多点測光システムにおけるバッテリチェックの処理を示すフローチャートである。
【符号の説明】
１  照度計
２  本体部（本体制御手段）
２ａ  接続部（装着部）
２１  表示パネル（表示部）
２２１  第１操作部
２２２  第２操作部
２３  蓋体
２４  メインスイッチ
２５  ホールド釦
２６  受光部分離釦
２７  デジタルインターフェース端子（接続端子）
２８  ＤＣ電源端子
２９  応答速度切換スイッチ（切換手段）
３  受光部（受光手段）
３ａ  接続部（装着部）
３１  受光窓
３２  アナログ出力端子
４１  本体側制御部（最大値／最小値の算出手段，平均値演算手段，応答遅れの検出手段，切換制御手段）
４２  操作ユニット
４３  表示ユニット
４４  通信インターフェース
４５  切換スイッチ部（線路切換手段）
４６  電源回路
４７  バッテリチェック回路
５１  受光素子
５２  開閉回路
５３  Ｉ／Ｖ変換回路
５４  応答速度切換回路
５５  バッファ回路
５６  Ａ／Ｄ変換回路
５７  受光側制御部
５８  アナログ出力回路
５９ａ  電源回路
５９ｂ  バッテリチェック回路（電源異常検出手段）
６  アダプタ（第２のインターフェース）
７  アダプタ（第１のインターフェース）
７３  受光番号設定回路（番号設定手段）
７３１，７３２  ロータりスイッチ（番号設定手段）
１１  アダプタ（第３のインターフェース）
８，１０  通信ケーブル
９  ＰＣ（電子情報処理装置）
【図１】
0003855515.tif 000005
【図２】
0003855515.tif 000006
【図３】
0003855515.tif 000007
【図４】
0003855515.tif 000008
【図５】
0003855515.tif 000009
【図６】
0003855515.tif 000010
【図７】
0003855515.tif 000011
【図８】
0003855515.tif 000012
【図９】
0003855515.tif 000013
【図１０】
0003855515.tif 000014
【図１１】
0003855515.tif 000015
【図１２】
0003855515.tif 000016
【図１３】
0003855515.tif 000017
【図１４】
0003855515.tif 000018
【図１５】
0003855515.tif 000019
【図１６】
0003855515.tif 000020
【図１７】
0003855515.tif 000021
【図１８】
0003855515.tif 000022
【図１９】
0003855515.tif 000023
【図２０】
0003855515.tif 000024
【図２１】
0003855515.tif 000025
【図２２】
0003855515.tif 000026